(57)【要約】【課題】硬質な接合部材を不要とし、意匠性を損ねたり、違和感や不快感を生じるなどの不都合を防止できるふとんを提供する。【解決手段】重ね合わされた第１および第２のふとん体２、３を備え、これらのふとん体２、３は、各ふとん体２、３の周縁の少なくとも一部に縫着された第１および第２のマチ布４、５を、環縫いにより縫合することにより連結されていることを特徴とするふとん１を提供する。ここで、環縫いとは、単環縫いまたは二重環縫いである。縫合部６、９の糸を縫い終わり側から引っ張ることにより、容易かつ短時間で解くことができ、各ふとん体２、３を分離することができる。第１および第２のふとん体２、３としては、例えば、羽毛ふとんと毛皮の組み合わせが挙げられる。【選択図】  図１
2004154243.tif 000002
【特許請求の範囲】
【請求項１】
重ね合わされた第１および第２のふとん体を備え、これらのふとん体は、各ふとん体の周縁の少なくとも一部に縫着された第１および第２のマチ布を、環縫いにより縫合することにより連結されていることを特徴とするふとん。
【請求項２】
前記第１および第２のふとん体の一方は羽毛ふとんであり、他方は毛皮であることを特徴とする請求項１に記載のふとん。
【請求項３】
第１および第２のマチ布の縫合は、各ふとん体の表面同士を重ね合わせ、周縁の一部を除いて縫合し、前記周縁の縫合し残された部分によって形成される開口部から、各ふとん体の表面を引き出して裏表を返したのち、前記縫合し残された部分を縫合して閉じることによって行われていることを特徴とする請求項１または２に記載のふとん。
【発明の詳細な説明】
【０００１】
【発明の属する技術分野】
本発明は、ふとんに関する。
【０００２】
【従来の技術】
従来、毛皮の下に羽毛ふとんを重ね合わせて接合するなど、異素材のふとん体を組み合わせたタイプのふとんが知られている。
このような異素材接合ふとんは、上面に毛皮が配置されていることにより保温性がよく、また、毛部の存在によって豪華さを表現することができるので、意匠性がよい。また、毛皮の下の羽毛ふとんにより、クッション性が高められ、寝姿勢が正しく保たれて安眠することができる。
【０００３】
羽毛ふとんと毛皮とでは、クリーニングなどの取り扱いが異なることから、容易に着脱できるように、羽毛ふとんと毛皮とは、ファスナー、面ファスナー、ボタンなどの接合部材を用いて接合されている。これらの接合部材は、マチ布を介して羽毛ふとんや毛皮の周縁に縫着されている。
このようなふとんにおいては、ファスナー等やマチ布を外側から隠すため、該ふとんの周縁に、隠し布が設けられている。隠し布は、ふとんの各辺に、ファスナー等に沿って対向する位置に（上側と下側との一対）設けられており、上記隠し布をめくることにより、該隠し布の間からファスナー等が露出されて操作できるようになっている（例えば、特許文献１参照）。
【０００４】
【特許文献１】
実公平０３−０５４６１３号公報
【０００５】
【発明が解決しようとする課題】
しかしながら、従来の異素材接合ふとんにおいては、毛皮の毛がファスナー等にからまるのを防ぐため、マチ布の巾を広くする必要がある。また、接合部材が露出されると、意匠性や肌触りなどの点から好ましくないため、隠し布で覆うことは不可欠である。このため、羽毛ふとんと毛皮とが密着して接合されたような外観を呈するふとんを実現することは不可能であった。
【０００６】
ふとんに隠し布を縫着するため、工程数が増加し、コストが高くなるという問題がある。また、隠し布がめくれたときには、上記接合部材が露出されてしまい、意匠性の点から芳しくない。また、これらの接合部材は比較的硬質であるので、接合部材が直接に、もしくは隠し布を介して、手足等の肌に当たると、肌触りに違和感を生じたり、皮膚が刺激を受けて不快感を生じるなどの不満があった。また、ボタンの場合、すべて着脱するのに時間が掛かり、ファスナーなどでも、クリーニング時に、変色や変質のおそれがあるなど、問題があった。
【０００７】
本発明は上記事情に鑑みてなされたものであり、硬質な接合部材を不要とし、意匠性を損ねたり、違和感や不快感を生じるなどの不都合を防止できるふとんを提供することを課題とする。
【０００８】
【課題を解決するための手段】
前記課題を解決するため、本発明は、重ね合わされた第１および第２のふとん体を備え、これらのふとん体は、各ふとん体の周縁の少なくとも一部に縫着された第１および第２のマチ布を、環縫いにより縫合することにより連結されていることを特徴とするふとんを提供する。
本発明において、環縫いとは、単環縫いおよび／または二重環縫いをいう。
前記第１および第２のふとん体としては、一方は羽毛ふとんであり、他方は毛皮であることが例示できる。
【０００９】
第１および第２のマチ布の縫合は、各ふとん体の表面同士を重ね合わせて周縁の一部を除いて縫合し、前記周縁の縫合し残された部分によって形成される開口部から、各ふとん体の表面を引き出して裏表を返したのち、前記縫合し残された部分を縫合して閉じることによって行うことができる。
【００１０】
【発明の実施の形態】
以下、実施の形態に基づいて、本発明を詳しく説明する。
図１（ａ）は、本発明のふとんを示す斜視図であり、図１（ｂ）は、このふとんの部分断面図である。
このふとん１は、第１のふとん体２と、第２のふとん体３とを備えている。これらのふとん体２、３は、周縁の少なくとも一部に縫着された第１および第２のマチ布４、５を環縫いにより縫合することにより、連結されている。
ふとん体２、３は、その平面視において長方形状になっており、その長さ寸法Ｌ（縦寸法）および幅寸法Ｗ（横寸法）はそれぞれ、例えば約２ｍおよび１ｍ程度になっている。両ふとん体２、３の長さ寸法Ｌおよび幅寸法Ｗは、互いにほぼ同じ大きさとなっている。
【００１１】
以下、各部の詳細構造について説明する。
第１のふとん体２は、羽毛ふとんとなっている。この羽毛ふとん２は、上下２枚の側地２ａ、２ｂ（がわ生地）の周縁を縫合してなる袋体２ｃの内部に、中綿２ｄとしての羽毛（ダウン、スモールフェザー）を収納して構成されたものであり、縦方向および横方向に、所定のキルティング２ｅが施されている。
側地２ａ、２ｂの材質としては、木綿、シルク、ポリエステルなどが採用できる。また、適宜刺繍などを施してもよい。
【００１２】
第２のふとん体３は、例えば羊毛皮などの毛皮である。この毛皮３は、基部３ｂから外向き（第１のふとん体２と反対側、図１（ｂ）の下方）に向いて突出した多数の毛部３ａ（長毛、短毛）を備えている。
【００１３】
マチ布４、５は、サテン、ハイパイル、ツイールなど、針穴の消しやすい素材が好ましく用いられ、その巾は、例えば約１．５ｃｍである。
第１のマチ布４は、糸４ａによって、羽毛ふとん２の上側の側地２ａの周縁に縫着されている。また、第２のマチ布５は、糸５ａによって、毛皮３の基部３ｂの表側（毛部３ａのある側）に縫着されている。
【００１４】
次に、本実施の形態のふとん１の製造方法について説明する。
羽毛ふとん２および毛皮３にそれぞれ第１及び第２のマチ布４、５を縫着し、羽毛ふとん２と毛皮３とを、図２（ａ）、（ｂ）に示すように、表面同士を重ね合わせる。つまり、羽毛ふとん２の上側の側地２ａと、毛皮３の毛部３ａとが向かい合わせに配置された状態となる。
【００１５】
次いで、マチ布４、５を、足側（このふとんの使用者の足側に向けられる側、図１（ａ）、図２（ａ）では紙面左手前側）の一辺の中央部付近７を除き、環縫いによって縫合する。この第１の縫合部６により、羽毛ふとん２と毛皮３とは、袋状に形成される。
縫合し残された部分７に形成された開口部８から、羽毛ふとん２および毛皮３を引き出して表裏を返し、縫合し残された部分７の部分を環縫いにより縫合して形成される第２の縫合部９により、上記開口部８を閉じる。これにより、図１（ａ）、（ｂ）に示すようなふとん１が製造される。
【００１６】
このようなふとん１によれば、羽毛ふとん２および毛皮３は、マチ布４、５を環縫いで縫合することにより連結されているので、ファスナーやボタンなどの硬質な接合部材は不要となる。そのため、ふとん１の周縁はやわらかい肌触りを保ち、不快感や違和感を惹起するおそれがない。しかも、羽毛ふとん２と毛皮３とが幅方向や長さ方向にずれたりせず、不意にめくれたり、毛皮３の毛などが絡みつくおそれもない。
ファスナー等の接合部材や、これを隠すための隠し布が不要となるので、マチ布４、５の巾を従来より狭くすることが可能になり、羽毛ふとん２と毛皮３とが密着して接合されたような外観を呈するふとんを実現することができる。また、工程数を少なくし、製造コストを低減することができる。
【００１７】
毛皮３の毛部３ａにより、豪華な外観を呈するとともに、優れた肌触りと保温性が得られる。また、この毛皮３に重ねあわされて連結された羽毛ふとん２により、適切な寝姿勢を作り、その寝姿勢全体を羽毛ふとん２が柔らかく受けとめることができる。その結果、理想的なクッション性が得られ、安眠効果が高い。
環縫いとされた縫合部６、９は、簡単かつ短時間でほどくことができる。これにより、羽毛ふとん２と毛皮３とを互いに分離させて、個別にクリーニングすることができる。クリーニング後、マチ布４、５を、再び環縫いで縫合することにより、羽毛ふとん２と毛皮３を再度連結することができる。
【００１８】
また、図１（ｂ）に示すように、ふとん１の周縁の大部分を縫合している第１の縫合部６の糸の縫い目が、両ふとん体２、３の間となる内側に向いているので、縫い目が目立たず、意匠性に優れるとともに、縫い目を引っ掛けたりなどして糸を緩めてしまうおそれが抑制される。
さらに、マチ布４、５の端部や該マチ布４、５を縫合する糸４ａ、５ａの縫い目もふとん１の外側に露出されないので、意匠性に優れるとともに、マチ布４、５や糸４ａ、５ａのほころびが抑制される。
【００１９】
以上、本発明を好適な実施の形態に基づいて説明してきたが、本発明はこの実施の形態のみに限定されるものではなく、本発明の要旨を逸脱しない範囲で種々の改変が可能である。
例えば、第１および第２のふとん体２、３の材質は、上記したものに限定されず、適宜材質を採用することができる。例えば、中綿２ｄとして、羽毛以外の材質、例えば羊毛、ポリエステル固わた、木綿などを採用することもできる。両ふとん体２、３の材質は、異素材でも、同種の素材であってもよい。その他にも、ポリウレタンなどのスポンジ材などからなるマットなどを採用することもでき、本発明により、種々の用途や要求などに応じて、バリエーションに富んだふとんを構成することが可能となる。
第１および第２のマチ布４、５を縫合する縫合部としては、上述のように２つの部分６、９とする必要はなく、１つまたは３つ以上としてもよいことは勿論である。
【００２０】
【発明の効果】
以上説明したように、本発明のふとんは、重ね合わされた第１および第２のふとん体を備え、これらのふとん体は、各ふとん体の周縁の少なくとも一部に縫着された第１および第２のマチ布を、環縫い（単環縫いおよび／または二重環縫い）により縫合することにより連結されているものであるので、ファスナーやボタンなどの硬質な接合部材を用いずに両ふとん体を接合することができ、これを隠すための隠し布も不要となる。
その結果、ふとんの周縁はやわらかい肌触りを保ち、不快感や違和感を惹起するおそれがない。マチ布の巾を従来より狭くすることが可能になり、両ふとん体が密着して接合されたような外観を呈するふとんを実現することができる。隠し布を取り付けるための工程をなくし、製造コストを低減することができる。
【００２１】
縫合部は、糸を縫い終わり側から引っ張ることにより、容易かつ短時間で解くことができるので、各ふとん体を速やかに分離することができ、個別にクリーニングすることもできる。クリーニング後、マチ布を環縫いで縫合することにより、両ふとん体を再度連結することができる。
本発明により、第１および第２のふとん体を適宜選択して組み合わせ、接合することにより、種々の用途や要求などに応じて、バリエーションに富んだふとんを構成することが可能となる。
【００２２】
第１および第２のふとん体として、羽毛ふとんと毛皮の組み合わせを採用すれば、毛皮の毛部により、豪華な外観を呈するとともに、優れた肌触りと保温性が得られる。また、羽毛ふとんにより、適切な寝姿勢を作り、その寝姿勢全体を羽毛ふとんが柔らかく受けとめることになる。その結果、理想的なクッション性が得られ、安眠効果が高い。縫合部には、毛皮の毛が絡みつくことがなく、毛を痛めるおそれもない。
【００２３】
第１および第２のマチ布の縫合は、各ふとん体の表面同士を重ね合わせ、周縁の一部を除いて縫合し、前記周縁の縫合し残された部分によって形成される開口部から、各ふとん体の表面を引き出して裏表を返したのち、前記縫合し残された部分を縫合して閉じることによって行うことができる。これにより、環縫いとされた糸の縫い目の大部分が両ふとん体の間となる内側に向くようになるので、縫い目が目立たず、意匠性に優れるとともに、縫い目を引っ掛けたりなどして環縫いの糸を緩めてしまうおそれが抑制される。
【図面の簡単な説明】
【図１】（ａ）本発明のふとんを示す斜視図である。（ｂ）Ｉ−Ｉ線に沿う断面図である。
【図２】（ａ）第１および第２のふとん体を裏重ねにして重ね合わせた状態を示す斜視図である。（ｂ）ＩＩ−ＩＩ線に沿う断面図である。
【符号の説明】
１…ふとん、２…第１のふとん体（羽毛ふとん）、３…第２のふとん体（毛皮）、４…第１のマチ布、５…第２のマチ布、６…第１の縫合部、７…縫合し残された部分、８…開口部、９…第２の縫合部。
【図１】
2004154243.tif 000003
【図２】
2004154243.tif 000004